(57)【要約】【課題】側壁材への荷重負荷を軽減する軽量部材で遮音性で耐久性に優れ、かつ建築工程を軽減して工期を短縮し、屋根材また壁部材にも適用出来る家屋建築用部材パネルを提供する。【解決手段】発泡ウレタン樹脂１を挟んで片面側にレジンコンクリート板又は木製板  ２、他面側にも同じくレジンコンクリート板又は木製板３を貼り合せて構成される。【選択図】    図１
2004270430.tif 000002
【特許請求の範囲】
【請求項１】
発泡ウレタン樹脂（１）の両面にレジンコンクリート板又は木製板（２）（３）が貼り合されて構成した事を特徴とする家屋建築部材パネル。
【発明の詳細な説明】
【０００１】
【発明の属する技術分野】
本発明は、人が住むための家、ものを保管するための倉庫など、家屋の屋根部材などの下地（下層）部材として使われる家屋建築用部材パネルに関するものである。
【０００２】
【従来の技術】
自然と森に恵まれた日本は、古代からの家も倉庫（または蔵）も自然の一部と考えて材料の選択も外観面からも自然に調和した木造建築を育み柱梁、棟木や母屋などの建築資材となる一本一本の木を予め必要な長さに切って加工する。建築現場においては、図３で示す様に、土台５に床部材６、縦枠（柱）７、梁８に桁９を介して母屋１０と棟木１１に垂木１２を渡して骨組み構造物Ａに組み立てた後、屋根側に野地板１３とアスファルトルーフィング１４を敷いた上に瓦やスレート板などの屋根部材１５を葺いて屋根を築造し、しかる後外壁を築造し、最後に内装加工を施して家屋を建設する。建設した家屋は消費者を満足させるものであった。しかしながら、時代の変化に住生活は、食生活と共に洋風化しまた個性の好みからバラエティに富む家屋設計が取り入れられる様になり、その結果、従来の建築工法以上に作業工数が多くなり、工期も長くなる問題があった。この問題を解消するため、今日ではバラエティ範囲を制約し、柱、屋根部分や窓枠などの共通部分を鉄やアルミなどの金属をリベット、ボルト溶接などの接合手段で組み立て、骨組み構造体に部品化する事で建築家屋の一部を工場で生産し、建築現場に持ち込むプレハブ工法が主流になつた。
プレハブ工法は多様化しながら、建築技術の向上と建築費のコストダウンに向かって発展している。特に集合住宅、緊急避難住宅、工場やチェーン店舗などの様に、同一様式の家屋をプレハブ工法で建築する場合は、標準化され統一された同一部品を多く使用する事で、容易な品質管理から大量生産に繋がって部品の製造コストを大幅に節減し、工期の短縮するなど多くのメリットがある。
またプレハブ工法の発展と共に屋根や外壁の下地材が開発され、「合板などの板材と発砲プラスチック系断熱材を張り合わせた断熱パネル」の、軽量化部材が使用されている（例えば、特許文献１参照。）。
【０００３】
【特許文献１】
特開平１１−１１７７４１７号公報（第２項、第１欄１９−２０行）
【０００４】
【発明が解決しようとする課題】
壁部材や床部材が標準化される中で、該部材らをどの様に組み合わせ、さらに日本古来の木造工法を取り入れてどの様に調和を図るか、消費者フレキシビリティを高めている。特に屋根の形状は消費者が希望する家の間取りによって変わるため、屋根部材を、標準サイズ化し、プレハブ化する事は相当の無理がある。特に頑丈で重い鉄骨構造のプレハブ部材は、大準サイズのプレハ地震で大きな被害を引き起こし易い問題、一戸建ての建築現場においてプレハブ部材から他のサイズに手際よく変更し加工できない問題があった。また屋根構造についても母屋、棟木、垂木など各部材の必要な太さの木材を調達し、必要な長さの一本一本に切り揃えて横に組合せ法で建築するため、依然とし、ボルトナットや釘で接合した後軽量化屋根部材を敷設する昔ながらのて作業工数が減る事が無く、工期が長くなる問題があった。
【０００５】
本発明者らは、上記の様な家屋建築時の問題を解消した屋根部材や壁部材などの下地（下層）部材として使用できる建築部材を提供する目的に種々検討した結果、壁部材への荷重負荷を軽減する軽量部材で遮音性で耐久性に優れ、しかも建築現場における屋根構造建築時の垂木や野地板の敷設工程を軽減して工期を短縮し、また壁部材にも適用できる家屋建築用部パネルを開発した。
【０００６】
【課題を解決するための手段】
本発明は上記の目的を達成したもので、その要旨は、発泡ウレタン樹脂の両面にレジンコンクリート板又は木製板貼り合せて構成した家屋建築用パネルである。
【０００７】
【発明の実施の形態】
以下、本発明の家屋建築用部材パネルについて、図面を参照しながら詳細に説明する。
図１は、本発明家屋建築用部材パネルの一実施例で、一部を切り欠いた平面斜視図を示す。図１において、１は発泡ウレタン樹脂である。発泡ウレタン樹脂１は断熱性軽量材で、独立した微細な気泡材にも係わらず高い強度と接着性を有し、しかも低い吸水性からカビを誘発する事がなく屋根部材や部材などの内装材として最適である。発泡ウレタン樹脂１の両面には、レジンコンクリート板又は木製板が貼り合わせられている。レジンコンリート板２は不飽和ポリエステル樹脂、エポキシ樹脂、アクリル樹脂などの液状レジン樹脂に炭酸カルシュウム又はフライアッシュ材を練混ぜたものをグラスァイバーシートに付着させて仕上げ乾燥し製造した低い吸水性と吸湿性から最適な建築部材で、発泡ウレタン樹脂１の片面側に貼り合せ家屋建築用部材パネル強度著しく向上すると共に、建築用部材の軽薄化と軽量を促し廃材として処理する場合にも粉砕しリサイクル資財として再利用できる特長がある。また本発明においては発泡ウレタン樹脂の両面にレジンコンクリート板又は木製板のいずれかを張り合せても、得られる効果を相違するものでない。木製板は製材した板をつなぎ合せてパネルにしたものや木材を薄く製材した板を２枚以上張り合わせてその厚さが５ｍｍ以上の合板を言う。家屋建築部材パネルは屋根部材の瓦やスレート板など敷設材など母屋に安定に固定すると共に壁部材の室内クロスを表面平滑に貼り付けるために使用するもので、特に広大屋根や厚壁の様に大きな強度を必要とする場合は、合板を使用する事が好ましい。上記の様に３枚のパネルを一体的に貼り合せた家屋建築用部材パネルは、発泡ウレタン樹脂１の自己接着性あるいは必要によっては化学接着剤を使用して強力に接着されている。それぞれのシートが剥がれる事がなく、各パネルが持つ特性を相加しかつ遮音性を著しく高める効果を奏する。
【０００８】
そして、本発明の家屋建築用部材パネルは、図２で示す様に建築中の骨組構造物Ａが築造された母屋１０にあるいは必要によっては垂木１２を介してレジンコンクリート板又は木製板２を下面にして敷設しながら、母屋１０あるいは垂木１２に止端部材金具４を用いて固定する。しかる後、本発明の家屋建築用部材パネルの他面側になるレジンコンクリート板又は木製板３に、瓦やスレート板などの屋根部材を固定する様に張り合わせ、屋根部材を完成させる。
【０００９】
また本発明の家屋建築用部材パネルを壁部材に使用する場合は、該当部材パネルのレジンコンクリート板又は木製板３を室内側にして築造する。
【００１０】
【発明の効果】
以上の様に構成された家屋建築部材パネルは、建築現場において簡単に切断加工が行える特徴から如何なる形状や大きさの屋根や側壁に合わせて築造でき、しかも高い強度のパネル構造に作られているため屋根構造物の垂木を使用する事なく母屋へ直接に固定できるため工期が著しく短縮され、建材費用も節減できる。また築造された屋根や側壁は、雨音や外部の騒音に対しても遮音性に優れ、暑さ寒さの気温に対しても断熱性が高く、快適な居住空間を得る事が出来る。
【図面の簡単な説明】
【図１】本発明の実施例となる家屋建築用部材パネルの斜視図で、一部断面切欠図を示す。
【図２】本発明の実施例となるパネルを用いた屋根構造物の建築工法を示す。
【図３】従来から行われている家屋の建築工法を示す。
【符号の説明】
１  発泡ウレタン樹脂
２  レジンコンクリート板又は木製板
３  レジンコンクリート板又は木製板
４  止端部材金具
【図１】
2004270430.tif 000003
【図２】
2004270430.tif 000004
【図３】
2004270430.tif 000005